(57)【要約】  第１発光部と、第２発光部と、を備えた発光装置が提供される。第１発光部は、第１有機層と、第２有機層と、を含む。第１有機層は、第１の発光スペクトルを有する第１光を放出する蛍光材料を含む。第２有機層は、第１方向において第１有機層と積層され、第１の発光スペクトルと異なる第２の発光スペクトルを有する第２光を放出する第１燐光材料を含む。第２発光部は、第３有機層を含む。第３有機層は、第１の発光スペクトル及び第２の発光スペクトルと異なる第３の発光スペクトルを有する第３光を放出する。蛍光材料の三重項エネルギーは、第１燐光材料の三重項エネルギーよりも高い。これにより、発光効率が高く、かつ、多様な色の表示が可能な発光装置、表示灯及び表示システムが提供される。
2015079524.tif 000002
【特許請求の範囲】
【請求項１】
第１発光部であって、
第１の発光スペクトルを有する第１光を放出する蛍光材料を含む第１有機層と、
第１方向において前記第１有機層と積層され、前記第１の発光スペクトルと異なる第２の発光スペクトルを有する第２光を放出する第１燐光材料を含む第２有機層と、
を含む第１発光部と、
第２発光部であって、前記第１の発光スペクトル及び前記第２の発光スペクトルと異なる第３の発光スペクトルを有する第３光を放出する第３有機層を含む第２発光部と、
を備え、
前記蛍光材料の三重項エネルギーは、前記第１燐光材料の三重項エネルギーよりも高い発光装置。
【請求項２】
前記第１の発光スペクトルと前記第２の発光スペクトルと前記第３の発光スペクトルとを足して白色光を放出する請求項１記載の発光装置。
【請求項３】
ＣＩＥ１９３１の（ｘ、ｙ）色度座標において、前記第１の発光スペクトルの第１色と前記前記第２の発光スペクトルの第２色と前記第３の発光スペクトルの第３色とで囲まれた第１領域は、第１点、第２点、第３点及び第４点で囲まれた第２領域を含み、
前記第１点の前記（ｘ、ｙ）色度座標は、（０．３５０、０．３６０）であり、
前記第２点の前記（ｘ、ｙ）色度座標は、（０．３０５、０．３１５）であり、
前記第３点の前記（ｘ、ｙ）色度座標は、（０．２９５、０．３２５）であり、
前記第４点の前記（ｘ、ｙ）色度座標は、（０．３４０、０．３７０）である請求項１記載の発光装置。
【請求項４】
前記第１領域は、第５点、第６点、第７点及び第８点で囲まれた第３領域をさらに含み、
前記第５点の前記（ｘ、ｙ）色度座標は、（０．５００、０．４０５）であり、
前記第６点の前記（ｘ、ｙ）色度座標は、（０．３００、０．３００）であり、
前記第７点の前記（ｘ、ｙ）色度座標は、（０．３００、０．３４０）であり、
前記第８点の前記（ｘ、ｙ）色度座標は、（０．５００、０．４４５）である請求項３記載の発光装置。
【請求項５】
前記第１色の前記（ｘ、ｙ）色度座標は、（０．０５、０．３）、（０．１８７、０．３５）、（０．２６、０．１５４）、及び、（０．１７４、０．００５）で囲まれた領域に含まれ、
前記第２色の前記（ｘ、ｙ）色度座標は、（０．６５、０．２２）、（０．６、０．３）、（０．６、０．４）、及び、（０．７４、０．２６）で囲まれた領域に含まれ、
前記第３色の前記（ｘ、ｙ）色度座標は、（０．３８、０．６２）、（０．３、０．４５）、及び、（０、０．６５）で囲まれた領域に含まれる請求項３記載の発光装置。
【請求項６】
前記第１色の前記（ｘ、ｙ）色度座標は、（０．０５、０．３）、（０．１８７、０．３５）、（０．２６、０．１５４）、及び、（０．１７４、０．００５）で囲まれた領域に含まれ、
前記第２色の前記（ｘ、ｙ）色度座標は、０．３８、０．６２）、（０．３、０．４５）、及び、（０、０．６５）で囲まれた領域に含まれ、
前記第３色の前記（ｘ、ｙ）色度座標は、（０．６５、０．２２）、（０．６、０．３）、（０．６、０．４）、及び、（０．７４、０．２６）で囲まれた領域に含まれる請求項３記載の発光装置。
【請求項７】
前記第２発光部は、前記第１方向に対して垂直な第２方向において前記第１発光部と並ぶ請求項１記載の発光装置。
【請求項８】
第１電極と、第２電極と、第３電極と、をさらに備え、
前記第１発光部は、前記第１電極と前記第２電極との間に設けられ、
前記第２発光部は、前記第１電極と前記第３電極との間に設けられる請求項７記載の発光装置。
【請求項９】
前記第２発光部は、前記第１方向において前記第１発光部と並ぶ請求項１記載の発光装置。
【請求項１０】
第１電極と、第２電極と、第３電極と、をさらに備え、
前記第１発光部は、前記第１電極と前記第２電極との間に設けられ、
前記第２発光部は、前記第２電極と前記第３電極との間に設けられる請求項９記載の発光装置。
【請求項１１】
前記第１発光部及び前記第２発光部を含む第１発光領域と、前記第１方向と交差する第１面において前記第１発光領域と並べて設けられた第２発光領域と、をさらに備え、
前記第２発光領域は、前記第４の発光スペクトルを有する前記第４光を放出する第４有機層を含む、請求項１記載の発光装置。
【請求項１２】
前記第３有機層及び前記第４有機層は、前記第１燐光材料と異なる第２燐光材料を含む請求項１１記載の発光装置。
【請求項１３】
第１発光部であって、
第１の発光スペクトルを有する第１光を放出する蛍光材料を含む第１有機層と、
第１方向において前記第１有機層と積層され、前記第１の発光スペクトルと異なる第２の発光スペクトルを有する第２光を放出する第１燐光材料を含む第２有機層と、
を含む第１発光部と、
第２発光部であって、前記第１の発光スペクトル及び前記第２の発光スペクトルと異なる第３の発光スペクトルを有する第３光を放出する第３有機層を含む第２発光部と、
を含み、前記蛍光材料の三重項エネルギーは、前記第１燐光材料の三重項エネルギーよりも高い第１素子部と、
前記第１方向に対して垂直な第２方向において前記第１素子部と並べて設けられ、前記第１の発光スペクトルの第１色と前記第２の発光スペクトルの第２色と前記第３の発光スペクトルの第３色との混色と異なる第４色の第４光を放出する第２素子部と、
を備え、
前記第１素子部と前記第２素子部とによって、前記混色と前記第４色とに色分けされた図柄を表示する表示灯。
【請求項１４】
前記第１素子部及び前記第２素子部のそれぞれと電気的に接続され、前記第１素子部及び前記第２素子部のそれぞれの点灯及び消灯を制御する制御部をさらに備え、
前記第１素子部及び前記第２素子部のそれぞれは、複数設けられ、
前記制御部は、前記複数の第１素子部及び前記複数の第２素子部のそれぞれと電気的に接続され、前記複数の第１素子部及び前記複数の第２素子部のそれぞれの点灯及び消灯を制御することにより、異なる複数の前記図柄を選択的に表示する請求項１３記載の表示灯。
【請求項１５】
複数の表示灯であって、
前記複数の表示灯のそれぞれは、
第１発光部であって、
第１の発光スペクトルを有する第１光を放出する蛍光材料を含む第１有機層と、
第１方向において前記第１有機層と積層され、前記第１の発光スペクトルと異なる第２の発光スペクトルを有する第２光を放出する第１燐光材料を含む第２有機層と、
を含む第１発光部と、
第２発光部であって、前記第１の発光スペクトル及び前記第２の発光スペクトルと異なる第３の発光スペクトルを有する第３光を放出する第３有機層を含む第２発光部と、
を含み、前記蛍光材料の三重項エネルギーは、前記第１燐光材料の三重項エネルギーよりも高い第１素子部と、
前記第１方向に対して垂直な第２方向において前記第１素子部と並べて設けられ、前記第１の発光スペクトルの第１色と前記第２の発光スペクトルの第２色と前記第３の発光スペクトルの第３色との混色と異なる第４色の第４光を放出する第２素子部と、
を含み、前記第１素子部と前記第２素子部とによって、前記混色と前記第４色とに色分けされた図柄を表示する
複数の表示灯と、
前記複数の表示灯のそれぞれと電気的に接続され、前記複数の表示灯のそれぞれの点灯及び消灯を制御する制御部と、
を備えた表示システム。
【発明の詳細な説明】
【技術分野】
【０００１】
本発明の実施形態は、発光装置、表示灯及び表示システムに関する。
【背景技術】
【０００２】
有機発光ダイオード（OLED；Organic light-emitting diode）を用いた発光装置がある。この発光装置を用いた表示灯がある。複数の表示灯を用いた表示システムがある。表示灯などに用いられる発光装置では、多様な色の表示が求められている。また、発光装置では、高い発光効率も求められる。
【先行技術文献】
【特許文献】
【０００３】
【特許文献１】特開２０１２−００９２５４号公報
【発明の概要】
【発明が解決しようとする課題】
【０００４】
本発明の実施形態は、発光効率が高く、かつ、多様な色の表示が可能な発光装置、表示灯及び表示システムを提供する。
【課題を解決するための手段】
【０００５】
本発明の実施形態によれば、第１発光部と、第２発光部と、を備えた発光装置が提供される。前記第１発光部は、第１有機層と、第２有機層と、を含む。前記第１有機層は、第１の発光スペクトルを有する第１光を放出する蛍光材料を含む。前記第２有機層は、第１方向において前記第１有機層と積層され、前記第１の発光スペクトルと異なる第２の発光スペクトルを有する第２光を放出する第１燐光材料部を含む。前記第２発光部は、第３有機層を含む。前記第３有機層は、前記第１の発光スペクトル及び前記第２の発光スペクトルと異なる第３の発光スペクトルを有する第３光を放出する。前記蛍光材料の三重項エネルギーは、前記第１燐光材料の三重項エネルギーよりも高い。
【図面の簡単な説明】
【０００６】
【図１】第１の実施形態に係る発光装置を模式的に表す断面図である。
【図２】図２（ａ）〜図２（ｃ）は、第１の実施形態に係る発光装置の一部を表す模式図である。
【図３】第１の実施形態に係る発光装置の特性の一例を表すグラフ図である。
【図４】第１の実施形態に係る発光装置の特性の一例を表す模式図である。
【図５】図５（ａ）及び図５（ｂ）は、第１の実施形態に係る発光装置の別の特性の一例を表すグラフ図である。
【図６】図６（ａ）〜図６（ｃ）は、第１の実施形態に係る別の発光装置を模式的に表す断面図である。
【図７】第２の実施形態に係る発光装置の一例として、表示灯を模式的に表す平面図である。
【図８】第２の実施形態に係る表示灯の一部を模式的に表す部分断面図である。
【図９】第２の実施形態に係る別の表示灯の一部を模式的に表す部分断面図である。
【図１０】第２の実施形態に係る別の表示灯の一部を模式的に表す部分断面図である。
【図１１】図１１（ａ）〜図１１（ｃ）は、第３の実施形態に係る表示灯を表す模式図である。
【図１２】セグメントの一例を模式的に表す断面図である。
【図１３】セグメントの別の一例を模式的に表す断面図である。
【図１４】第４の実施形態に係る表示システムを模式的に表すブロック図である。
【発明を実施するための形態】
【０００７】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）  
第１の実施形態に係る発光装置について以下に説明する。発光装置は、第１発光部と第２発光部とを備える。第１発光部は、第１方向において積層された第１有機層と第２有機層とを含む。  
第１発光部は、第１の発光スペクトルを有する第１光を放出する蛍光材料を含む第１有機層と、第１の発光スペクトルと異なる第２の発光スペクトルを有する第２光を放出する第１燐光材料を含む第２有機層と、を含む。  
第２発光部は、第１の発光スペクトル及び第２の発光スペクトルと異なる第３の発光スペクトルを有する第３光を放出する第３有機層を含む。  
蛍光材料の三重項エネルギーは、第１燐光材料の三重項エネルギーよりも高い。また、例えば、第１の発光スペクトルと第２の発光スペクトルと第３の発光スペクトルを足すと、白色光を得られる。第３発光層は、例えば、第１燐光材料と異なる第２燐光材料を含む。
【０００９】
図１は、第１の実施形態に係る発光装置を模式的に表す断面図である。  
図１に表したように、発光装置１１０は、第１発光部１１と、第２発光部１２と、を備える。  
第１発光部１１は、第１有機層２１と、第２有機層２２と、を含む。第２有機層２２は、第１方向において第１有機層２１と積層される。第２有機層２２は、例えば、第１有機層２１に接する。例えば、第１有機層２１と第２有機層２２との間に、中間層を設けてもよい。第１有機層２１及び第２有機層２２は、有機発光層を含む。
【００１０】
第２発光部１２は、第１発光部１１と並べて設けられる。この例では、第２発光部１２が、第１方向に対して垂直な第２方向において第１発光部１１と並ぶ。第２発光部１２は、第３有機層２３を含む。第３有機層２３は、有機発光層を含む。
【００１１】
ここで、第１方向に対して平行な方向をＺ軸方向とする。Ｚ軸方向に対して垂直な１つの方向をＸ軸方向とする。Ｘ軸方向及びＺ軸方向に対して垂直な方向をＹ軸方向とする。この例では、第２発光部１２が、Ｘ軸方向において第１発光部１１と並ぶ。すなわち、この例では、Ｘ軸方向が、第２方向である。第２方向は、Ｘ軸方向に限ることなく、例えば、Ｙ軸方向でもよい。第２方向は、Ｚ軸方向（第１方向）に対して垂直な任意の方向でよい。
【００１２】
発光装置１１０は、例えば、複数の第１発光部１１と、複数の第２発光部１２と、を含む。この例では、複数の第１発光部１１と複数の第２発光部１２とのそれぞれが、Ｘ軸方向に交互に並ぶ。第１発光部１１の数及び第２発光部１２の数は、任意である。第１発光部１１及び第２発光部１２は、それぞれ１つずつでもよい。
【００１３】
第１発光部１１と第２発光部１２とが、Ｘ軸方向に並ぶ場合、第１発光部１１のＸ軸方向の幅Ｗ１は、例えば、５μｍ以上１ｍｍ以下である。第２発光部１２のＸ軸方向の幅Ｗ２は、例えば、５μｍ以上１ｍｍ以下である。また、第１発光部１１と第２発光部１２との間の距離Ｄ１は、例えば、５μｍ以上１ｍｍ以下である。第１発光部１１のＸ軸方向の幅Ｗ１、第２発光部１２のＸ軸方向の幅Ｗ２、及び第１発光部１１と第２発光部１２との間の距離Ｄ１は視認者から視認されなければ良く、用途に合わせて適宜設計される。例えば、視力１．０の人間が１ｍ離れた距離から見る場合、第１発光部１１のＸ軸方向の幅Ｗ１、第２発光部１２のＸ軸方向の幅Ｗ２、及び第１発光部１１と第２発光部１２との間の距離Ｄ１を１００μｍ以下とすれば視認者から線として視認できなくなる。ただし、これは孤立した線の場合の参考例であり、第１発光部１１のＸ軸方向の幅Ｗ１、第２発光部１２のＸ軸方向の幅Ｗ２、及び第１発光部１１と第２発光部１２との間の距離Ｄ１はこれに限定されない。
【００１４】
発光装置１１０は、例えば、第１電極３１と、第２電極３２と、第３電極３３と、基板４０と、絶縁層５０と、をさらに備える。
【００１５】
第１電極３１は、第１発光部１１及び第２発光部１２のそれぞれと電気的に接続される。この例では、第１電極３１が、複数の第１発光部１１及び複数の第２発光部１２のそれぞれと電気的に接続される。第１電極３１は、例えば、Ｚ軸方向において複数の第１発光部１１及び複数の第２発光部１２のそれぞれと対向する。また、この例では、第１電極３１が、複数の第１発光部１１のそれぞれにおいて、第１有機層２１と電気的に接続される。なお、第１電極３１は、複数の導電部からなるものとしてもよい。
【００１６】
第２電極３２は、第１発光部１１と電気的に接続される。この例では、第２電極３２が、複数設けられる。複数の第２電極３２のそれぞれが、複数の第１発光部１１のそれぞれと電気的に接続される。また、この例では、複数の第２電極３２が、複数の第１発光部１１のそれぞれにおいて、第２有機層２２と電気的に接続される。
【００１７】
この例では、第１電極３１と第２電極３２との間に、第１発光部１１が設けられる。より詳しくは、第１電極３１と第２電極３２との間に、第１有機層２１が設けられ、第１有機層２１と第２電極３２との間に、第２有機層２２が設けられる。これとは反対に、第１電極３１と第２電極３２との間に、第２有機層２２を設け、第２有機層２２と第２電極３２との間に、第１有機層２１を設けてもよい。
【００１８】
これにより、第１電極３１と第２電極３２との間に電圧を印加することで、第１発光部１１に電流が供給される。そして、電流の供給により、第１有機層２１及び第２有機層２２のそれぞれから光が放出される。
【００１９】
第３電極３３は、第２発光部１２と電気的に接続される。この例では、第３電極３３が、複数設けられる。複数の第３電極３３のそれぞれが、複数の第２発光部１２のそれぞれと電気的に接続される。すなわち、複数の第３電極３３のそれぞれが、複数の第３有機層２３のそれぞれと電気的に接続される。第３電極３３は、例えば、第２電極３２と電気的に接続されている。第３電極３３は、例えば、第２電極３２と電気的に絶縁されていてもよい。
【００２０】
この例では、第１電極３１と第３電極３３との間に、第２発光部１２が設けられる。これにより、第１電極３１と第３電極３３との間に電圧を印加することで、第２発光部１２に電流が供給される。そして、電流の供給により、第３有機層２３から光が放出される。
【００２１】
第３電極３３は、例えば、第２電極３２と電気的に接続されていてもよい。この例では、第２有機層２２と電気的に接続される第２電極３２と、第３有機層２３と電気的に接続される第３電極３３とを設けている。これに限ることなく、例えば、第１電極３１と同様に、連続した１つの電極で第２有機層２２及び第３有機層２３のそれぞれと電気的に接続してもよい。
【００２２】
このように、第１発光部１１の発光と第２発光部１２の発光とが独立に制御される。従って、第１発光部１１のみ、または第２発光部１２のみを発光させることができる。あるいは、第１発光部１１と第２発光部１２の両方を発光させることができる。従って、発光装置１１０の制御を切り替えることによって３種類の光を得ることができる。すなわち、発光色を切り替え可能な発光装置１１０を得ることができる。
【００２３】
基板４０は、Ｚ軸方向において第１発光部１１及び第２発光部１２のそれぞれと並ぶ。基板４０は、Ｚ軸方向において第１電極３１と対向する。この例では、基板４０と第１電極３１との間に第２電極３２が設けられる。第２電極３２と第１電極３１との間に第１発光部１１が設けられる。そして、基板４０と第１電極３１との間に第３電極３３が設けられる。第３電極３３と第１電極３１との間に第２発光部１２が設けられる。
【００２４】
換言すれば、第２電極３２と第３電極３３とが、基板４０の上に並べて設けられる。第２電極３２の上に第１発光部１１が設けられる。第３電極３３の上に第２発光部１２が設けられる。そして、第１電極３１が、第１発光部１１及び第２発光部１２のそれぞれの上に設けられる。
【００２５】
基板４０は、光透過性である。基板４０は、例えば、透明である。第１電極３１は、光反射性である。第２電極３２及び第３電極３３は、光透過性である。第２電極３２及び第３電極３３は、例えば、透明である。第１電極３１の光反射率は、例えば、基板４０の光反射率、第２電極３２の光反射率、及び、第３電極３３の光反射率のそれぞれよりも高い。
【００２６】
これにより、発光装置１１０では、第１発光部１１から放出された光が、第２電極３２及び基板４０を透過して外部に出射する。そして、第２発光部１２から放出された光が、第３電極３３及び基板４０を透過して外部に出射する。すなわち、発光装置１１０は、いわゆるボトムエミッション型である。
【００２７】
絶縁層５０は、第１発光部１１と第２発光部１２との間に設けられる。この例では、例えば、複数の絶縁層５０が設けられる。複数の絶縁層５０が、複数の第１発光部１１と複数の第２発光部１２とのそれぞれの間に設けられる。絶縁層５０は、例えば、第１発光部１１と第２発光部１２との間において、第１電極３１と基板４０との間に空く隙間を埋める。
【００２８】
図２（ａ）〜図２（ｃ）は、第１の実施形態に係る発光装置の一部を表す模式図である。  
図２（ａ）に表したように、第１有機層２１は、蛍光材料部２１ａを含む。蛍光材料部２１ａは、蛍光材料を含む。蛍光材料部２１ａの蛍光材料は、電流の供給に応じて、第１の発光スペクトルを有する第１光Ｌ１を放出する。第１有機層２１は、例えば、複数の蛍光材料部２１ａを含む。第１有機層２１は、例えば、第１ホスト材料部２１ｂをさらに含む。第１ホスト材料部２１ｂは、第１ホスト材料を含む。第１有機層２１においては、例えば、複数の蛍光材料部２１ａが、第１ホスト材料部２１ｂに分散された状態で存在する。
【００２９】
図２（ｂ）に表したように、第２有機層２２は、第１燐光材料部２２ａを含む。第１燐光材料部２２ａは、第１燐光材料を含む。第１燐光材料部２２ａの第１燐光材料は、電流の供給に応じて、第２の発光スペクトルを有する第２光Ｌ２を放出する。第２光Ｌ２の第２の発光スペクトルは、第１光Ｌ１の第１の発光スペクトルと異なる。第２有機層２２は、例えば、複数の第１燐光材料部２２ａを含む。第２有機層２２は、例えば、第２ホスト材料部２２ｂをさらに含む。第２ホスト材料部２２ｂは、第２ホスト材料を含む。第２有機層２２においては、例えば、複数の第１燐光材料部２２ａが、第２ホスト材料部２２ｂに分散された状態で存在する。
【００３０】
図２（ｃ）に表したように、第３有機層２３は、例えば、第２燐光材料部２３ａを含む。第２燐光材料部２３ａは、第２燐光材料を含む。第２燐光材料部２３ａの第２燐光材料は、電流の供給に応じて、第３の発光スペクトルを有する第３光Ｌ３を放出する。第３光Ｌ３の第３の発光スペクトルは、第１光Ｌ１の第１の発光スペクトル及び第２光Ｌ２の第２の発光スペクトルのそれぞれと異なる。第３有機層２３は、例えば、複数の第２燐光材料部２３ａを含む。第３有機層２３は、例えば、第３ホスト材料部２３ｂをさらに含む。第３ホスト材料部２３ｂは、第３ホスト材料を含む。第３有機層２３においては、例えば、複数の第２燐光材料部２３ａが、第３ホスト材料部２３ｂに分散された状態で存在する。なお、第３有機層２３は、燐光材料に限ることなく、例えば、蛍光材料を含んでもよい。
【００３１】
なお、図２（ａ）〜図２（ｃ）では、蛍光材料部２１ａ、第１燐光材料部２２ａ及び第２燐光材料部２３ａのそれぞれを、便宜的に球状で図示している。蛍光材料部２１ａ、第１燐光材料部２２ａ及び第２燐光材料部２３ａのそれぞれの形状は、球状に限ることなく、任意の形状でよい。
【００３２】
ここで、「蛍光材料」とは、例えば、蛍光を発する材料である。「蛍光」とは、例えば、光励起された一重項エネルギー準位から、低い準位への遷移の結果として、その励起後、約１０ｎｓ以内に生じるフォトルミネッセンスである。「燐光材料」とは、例えば、燐光を発する材料である。「燐光」とは、例えば、三重項エネルギー準位から、低い準位への遷移の結果として、その励起後、約１０μｓ以内に生じるフォトルミネッセンスである。
【００３３】
図３は、第１の実施形態に係る発光装置の特性の一例を表すグラフ図である。  
図３は、第１有機層２１の蛍光材料部２１ａから放出される第１光Ｌ１の第１色Ｃ１（第１の発光スペクトル）、第２有機層２２の第１燐光材料部２２ａから放出される第２光Ｌ２の第２色Ｃ２（第２の発光スペクトル）、及び、第３有機層２３の第２燐光材料部２３ａから放出される第３光Ｌ３の第３色Ｃ３（第３の発光スペクトル）のそれぞれの一例を、ＣＩＥ１９３１の（ｘ、ｙ）色度座標で表すグラフ図である。
【００３４】
図３に表したように、発光装置１１０では、第１色Ｃ１と第２色Ｃ２と第３色Ｃ３とで囲まれた第１領域Ｒ１が、第１点Ｐ１、第２点Ｐ２、第３点Ｐ３及び第４点Ｐ４で囲まれた第２領域Ｒ２を含む。第１点Ｐ１の（ｘ、ｙ）色度座標（以下、色度座標と称す）は、（０．３５０、０．３６０）である。第２点Ｐ２の色度座標は、（０．３０５、０．３１５）である。第３点Ｐ３の色度座標は、（０．２９５、０．３２５）である。第４点Ｐ４の色度座標は、（０．３４０、０．３７０）である。
【００３５】
第２領域Ｒ２は、実質的に白色である。第１領域Ｒ１が、第２領域Ｒ２を含むようにする。これにより、第１色Ｃ１と第２色Ｃ２と第３色Ｃ３との混色を、実質的に白色とすることができる。第２領域Ｒ２の色温度は、例えば、４０００Ｋ以上８５００Ｋ以下である。
【００３６】
また、この例では、第１領域Ｒ１が、第５点Ｐ５、第６点Ｐ６、第７点Ｐ７及び第８点Ｐ８で囲まれた第３領域Ｒ３をさらに含む。第５点Ｐ５の色度座標は、（０．５００、０．４０５）である。第６点Ｐ６の色度座標は、（０．３００、０．３００）である。第７点Ｐ７の色度座標は、（０．３００、０．３４０）である。第８点Ｐ８の色度座標は、（０．５００、０．４４５）である。但し、第３領域Ｒ３において、第５点Ｐ５と第６点Ｐ６との間は、黒体放射軌跡に従う等偏差線である。同様に、第７点Ｐ７と第８点Ｐ８との間は、黒体放射軌跡に従う等偏差線である。
【００３７】
第１領域Ｒ１が、第３領域Ｒ３を含むようにする。これにより、例えば、第１色Ｃ１と第２色Ｃ２と第３色Ｃ３との混色で表示可能な色の多様性を高めることができる。
【００３８】
第１色Ｃ１の色度座標は、例えば、（０．０５、０．３）、（０．１８７、０．３５）、（０．２６、０．１５４）、及び、（０．１７４、０．００５）で囲まれた領域Ｒｂに含まれる。但し、領域Ｒｂにおいて、点（０．０５、０．３）と点（０．１７４、０．００５）との間は、スペクトル軌跡である。これはあくまで一例であり、第１色Ｃ１の色度座標は、これに限定されない。
【００３９】
すなわち、この例において、第１色Ｃ１は、実質的に青色である。第１光Ｌ１は、実質的に青色光である。第１光Ｌ１のピーク波長は、例えば、３８０ｎｍ以上４９０ｎｍ以下である。
【００４０】
第２色Ｃ２の色度座標は、例えば、（０．６５、０．２２）、（０．６、０．３）、（０．６、０．４）、及び、（０．７４、０．２６）で囲まれた領域Ｒｒに含まれる。但し、領域Ｒｒにおいて、点（０．６５、０．２２）と点（０．７４、０．２６）との間は、純紫軌跡である。また、点（０．６、０．４）と点（０．７４、０．２６）との間は、スペクトル軌跡である。これはあくまで一例であり、第２色Ｃ２の色度座標は、これに限定されない。
【００４１】
すなわち、この例において、第２色Ｃ２は、実質的に赤色である。第２光Ｌ２は、実質的に赤色光である。第２光Ｌ２のピーク波長は、例えば、５７０ｎｍ以上７８０ｎｍ以下である。
【００４２】
第３色Ｃ３の色度座標は、例えば、（０．３８、０．６２）、（０．３、０．４５）、及び、（０、０．６５）で囲まれた領域Ｒｇに含まれる。但し、領域Ｒｇにおいて、点（０．３８、０．６２）と点（０、０．６５）との間は、スペクトル軌跡である。これはあくまで一例であり、第３色Ｃ３の色度座標は、これに限定されない。
【００４３】
すなわち、この例において、第３色Ｃ３は、実質的に緑色である。第３光Ｌ３は、実質的に緑色光である。第３光Ｌ３のピーク波長は、例えば、４９０ｎｍ以上５７０ｎｍ以下である。
【００４４】
このように、第１色Ｃ１が領域Ｒｂに含まれ、第２色Ｃ２が領域Ｒｒに含まれ、第３色Ｃ３が領域Ｒｇに含まれるようにする。これにより、第１領域Ｒ１に第２領域Ｒ２を含めることができる。なお、第１色Ｃ１、第２色Ｃ２及び第３色Ｃ３は、例えば、分光測定器によって測定することができる。
【００４５】
図４は、第１の実施形態に係る発光装置の特性の一例を表す模式図である。  
図４は、第１有機層２１及び第２有機層２２の一重項励起状態エネルギーレベル及び三重項励起状態エネルギーレベルと、励起子のエネルギー移動とを表す模式図である。  
図４に表したように、第１の実施形態に係る発光装置において、蛍光材料部２１ａの三重項エネルギー（Ｔ１エネルギー）は、第１燐光材料部２２ａの三重項エネルギーよりも高い。Ｔ１エネルギーは、一般に、一重項エネルギー（Ｓ１エネルギー）よりも小さくなる。また、光のエネルギーは、波長に反比例する。すなわち、波長が短くなるほど、光のエネルギーは高くなる。従って、上記のように、例えば、青色光を放出する蛍光材料を蛍光材料部２１ａに用い、赤色光を放出する燐光材料を第１燐光材料部２２ａに用いる。これにより、蛍光材料部２１ａの三重項エネルギーを、第１燐光材料部２２ａの三重項エネルギーよりも高くすることができる。
【００４６】
また、この例では、第２ホスト材料部２２ｂの三重項エネルギーが、第１燐光材料部２２ａの三重項エネルギーよりも高い。第１ホスト材料部２１ｂの三重項エネルギーが、第２ホスト材料部２２ｂの三重項エネルギーよりも高い。蛍光材料部２１ａの三重項エネルギーが、第１ホスト材料部２１ｂの三重項エネルギーよりも高い。
【００４７】
さらに、第１ホスト材料部２１ｂの一重項エネルギー（Ｓ１エネルギー）は、蛍光材料部２１ａの一重項エネルギーよりも高い。第２ホスト材料部２２ｂの一重項エネルギーは、第１ホスト材料部２１ｂの一重項エネルギーよりも高い。第２ホスト材料部２２ｂの一重項エネルギーは、第１燐光材料部２２ａの一重項エネルギーよりも高い。
【００４８】
上記のように、第１ホスト材料部２１ｂの一重項エネルギーは、蛍光材料部２１ａの一重項エネルギーよりも高い。これにより、例えば、蛍光材料部２１ａと第１ホスト材料部２１ｂとの界面で生じる一重項励起子の第１ホスト材料部２１ｂへの拡散が抑制される。このため、一重項励起子の有するエネルギーは、蛍光材料部２１ａ中で第１光Ｌ１を発生させるエネルギーとして消費される。従って、一重項励起子により、蛍光材料部２１ａから第１光Ｌ１（第１色の蛍光）が放出される。
【００４９】
一方、第１ホスト材料部２１ｂの三重項エネルギーは、蛍光材料部２１ａの三重項エネルギーよりも低い。第２ホスト材料部２２ｂの三重項エネルギーは、第１ホスト材料部２１ｂの三重項エネルギーよりも低い。第１燐光材料部２２ａの三重項エネルギーは、第２ホスト材料部２２ｂの三重項エネルギーよりも低い。
【００５０】
このため、蛍光材料部２１ａの三重項励起子は、第１ホスト材料部２１ｂ及び第２ホスト材料部２２ｂを拡散して第１燐光材料部２２ａに到達する。これにより、三重項励起子の有するエネルギーは、第１燐光材料部２２ａにおける第２光Ｌ２を発生させるエネルギーとして消費され、第１燐光材料部２２ａから第２光Ｌ２が放出される。
【００５１】
有機層では、電荷の再結合によって励起子が生成される。このとき、生成された励起子の約２５％は、一重項励起子となり、残りの約７５％は、三重項励起子となることが知られている。蛍光材料は、一重項励起子のみを発光に変換するものである。このため、蛍光材料の内部量子効率は、約２５％程度である。
【００５２】
これに対して、発光装置１１０では、蛍光材料部２１ａを用いた場合でも、蛍光材料部２１ａで発生した三重項励起子のエネルギーを、第１燐光材料部２２ａで利用することができる。すなわち、蛍光材料部２１ａで発生した三重項励起子のエネルギーが、ロスにならない。これにより、発光装置１１０では、高い発光効率を得ることができる。例えば、内部量子効率を実質的に１００％に近づけることができる。
【００５３】
例えば、有機層を用いた発光装置を避難誘導灯に用いることが提案されている。誘導灯では、白色の規格と緑色の規格とが定められている（例えば、ＪＩＳ−Ｚ−９１０３）。有機層を用いた発光装置では、例えば、誘導灯の図柄に合わせた形状で、白色光を放出する素子と、緑色光を放出する素子と、を設ける。これにより、誘導灯の図柄を表示することができる。
【００５４】
誘導灯では、電力供給が途切れた場合においても、３０分間バッテリーで駆動できることが求められている。このため、有機層には、高い発光光率が要求さる。発光効率の観点からは、有機層に燐光材料を用いることが望ましい。一方で、誘導灯では、高い色温度の白色光が要求される（例えば、４０００Ｋ〜８５００Ｋ）。有機層に燐光材料を用いた場合には、誘導灯で定められている色温度の白色光の実現が難しい。例えば、青色光と赤色光と緑色光とを混ぜて白色光を実現する場合、青色光を深青色（例えば、ピーク波長が４７０ｎｍ以下）とする必要がある。しかしながら、燐光材料では、信頼性の高い深青色の実現が難しい。有機層に蛍光材料を用いた場合には、深青色を実現することができるが、上記のように、発光効率が低下してしまう。
【００５５】
本実施形態に係る発光装置１１０は、蛍光材料部２１ａを含む第１有機層２１と、第１燐光材料部２２ａを含む第２有機層２２と、第２燐光材料部２３ａを含む第３有機層２３と、を含む。
【００５６】
これにより、例えば、第１有機層２１の第１色Ｃ１において、深青色を実現することができる。例えば、第１領域Ｒ１が、第２領域Ｒ２を含むようにする。これにより、例えば、高い色温度の白色光を実現することができる。発光装置１１０では、燐光材料のみを用いた場合には表示することの難しい高い色温度の白色を表示することができる。発光装置１１０では、燐光材料のみを用いる場合に比べて、多様な色の表示が可能となる。例えば、第１領域Ｒ１が、第３領域Ｒ３を含むようにする。これにより、例えば、より多様な色の表示が可能になる。
【００５７】
さらに、本実施形態に係る発光装置１１０では、蛍光材料部２１ａで発生した三重項励起子のエネルギーを、第１燐光材料部２２ａで利用することができ、高い発光効率が得られる。このように、本実施形態に係る発光装置１１０では、高い発光効率と、多様な色の表示と、を実現することができる。
【００５８】
第１有機層２１には、例えば、ホスト材料と、青色の光を放出するドーパント（蛍光材料部２１ａ）と、の混合材料を用いることができる。第１有機層２１に用いるホスト材料としては、例えば、ＣＢＰ（4,4'-N,N'-ビスジカルバゾリルール−ビフェニル）、ＤＳＡ−Ｐｈ（１，４−ジ−[４−(Ｎ，Ｎ−ジ−フェニル)アミノ]スチリル−ベンゼン）、ＢＣｚＶＢｉ（４，４'−ビス(９−エチル−３−カルバゾビニレン)−１，１'−ビフェニル）などを例示することができる。第１有機層２１に用いる青色発光ドーパントとしては、例えば、ＤＰＶＢｉ（４，４−ビス(２，２−ジフェニル−エテン−１−イル)ビフェニル）、ＴＢＡＤＮ（９，１０−ビス(２−ナフチル)−２−ターシャル-ブチルアントラセン）、ＭＱＡＢ（ジフルオロ（６−メスチル−Ｎ−２−１Ｈ−キノリニリデン−Ｎ−６−メスチル−２−キノリアミナト−Ｎ１ボロン）などを例示することができる。
【００５９】
第２有機層２２には、例えば、ホスト材料と、赤色の光を放出するドーパント（第１燐光材料部２２ａ）と、の混合材料を用いることができる。第２有機層２２に用いるホスト材料としては、例えば、ＣＢＰ、α−ＮＰＤ（ビス（Ｎ−（1−ナフチル−Ｎ−フェニルベンジジン）、ｍＣＰ（１，３−ビス（Ｎ−カルバゾリル）ベンゼン）、ＴＡＰＣ（ジ−［４−（Ｎ，Ｎ−ジトリルアミノ）フェニル］シクロヘキサン）、ＴＣＴＡ（４，４'，４''−トリス（９−カルバゾリル）−トリフェニルアミン）、ＯＸＤ−７（１，３−ビス(２−(４−ターシャリーブチルフェニル)−１，３，４−オキシジアゾル−５−イル)ベンゼン）、Ｂｐｈｅｎ（４，７−ジフェニル−１，１０−フェナントロリン）、ＢＡｌｑ（ビス(２−メチル−８−キノリノレート)−４−(フェニルフェノラート)アルミニウム）などを例示することができる。第２有機層２２に用いる赤色発光ドーパントとしては、例えば、Ｉｒ(ＭＤＱ)２(ａｃａｃ)（ビス(２−メチルジベンゾ−[ｆ，ｈ]キノキサリン)(アセチルアセトナート)イリジウム(III)）、Ｉｒ(ｐｉｑ)３トリス(１−フェニルソキノリン)イリジウム(III)などを例示することができる。
【００６０】
第３有機層２３には、例えば、ホスト材料と、緑色の光を放出するドーパント（第２燐光材料部２３ａ）と、の混合材料を用いることができる。第３有機層２３に用いるホスト材料としては、例えば、ＣＢＰなどを例示することができる。第３有機層２３に用いる緑色発光ドーパントとしては、例えば、Ｉｒ(ｐｐｙ)３（トリス(２−フェニルピリジン)イリジウム(III)）、Ｉｒ(ｍｐｐｙ)３（トリス(２−(ｐ−トリル)ピリジン)イリジウム(III)）、Ｉｒ（ｈｆｌｐｙ）（ａｃａｃ）（ビス(２−(９，９−ジヘキシルフルオレニル)−１−ピリジン)(アセチルアセトネート)イリジウム(III)）などを例示することができる。
【００６１】
光反射性の第１電極３１は、例えば、アルミニウム及び銀の少なくともいずれかを含む。例えば、第１電極３１には、アルミニウムが用いられる。また、第１電極３１として、銀とマグネシウムとの合金を用いても良い。第１電極３１の厚さ（Ｚ軸方向の長さ）は、例えば、５ナノメートル（ｎｍ）以上である。
【００６２】
光透過性の第２電極３２及び第３電極３３には、例えば、Ｉｎ、Ｓｎ、Ｚｎ及びＴｉからなる群より選ばれた少なくとも１種の元素を含む酸化物を用いることができる。第２電極３２及び第３電極３３には、例えば、酸化インジウム、酸化亜鉛、酸化錫、インジウム錫酸化物（ＩＴＯ：Indium Tin Oxide）、フッ素ドープ酸化錫（ＦＴＯ）、インジウム亜鉛酸化物を含む導電性ガラス（例えばＮＥＳＡなど）などを用いることができる。第２電極３２及び第３電極３３は、例えば、スパッタまたは蒸着などの、気相成長により形成できる。第２電極３２及び第３電極３３は、例えば、塗布法、または、スプレイ法などによって形成しても良い。第２電極３２及び第３電極３３は、例えば、陽極として機能する。
【００６３】
基板４０には、例えば、石英ガラス、アルカリガラス及び無アルカリガラスなどが用いられる。基板４０には、例えば、ポリエチレンテレフタレート、ポリカーボネイト、ポリメチルメタクリエート、ポリプロピレン、ポリエチレン、非晶質ポリオレフィン及びフッ素系樹脂などの透明樹脂を用いてもよい。
【００６４】
また、第１発光部１１及び第２発光部１２は、必要に応じて、図示しない第１機能層と第２機能層とをさらに含むことができる。図示しない第１機能層は、例えば、第２有機層２２と第２電極３２の間、または、第３有機層２３と第３電極３３との間に設けられる。
【００６５】
第１機能層の厚さは、例えば、１ナノメートル（ｎｍ）以上、５００ナノメートル（ｎｍ）以下である。  
第１機能層は、例えば、正孔注入層として機能する。第１機能層が正孔注入層として機能する場合には、例えば、ＰＥＤＰＯＴ：ＰＰＳポリ(3,4- エチレンジオキシチオフェン)-ポリ(スチレンスルホン酸)、ＣｕＰｃ(銅フタロシアニン)及びＭｏＯ３（三酸化モリブデン）などを含む。
【００６６】
第１機能層は、例えば、正孔輸送層として機能する。第１機能層が正孔輸送層として機能する場合には、例えば、α−ＮＰＤ（4，4'−ビス［N−（1−ナフチル）−N−フェニルアミノ］ビフェニル）、ＴＡＰＣ（1,1-ビス[4-[N,N-ジ(p-トリル)アミノ]フェニル]シクロヘキサン）、ｍ−ＭＴＤＡＴＡ（4,4',4''-トリス[フェニル(m-トリル)アミノ]トリフェニルアミン）、ＴＰＤ（ビス(3-メチルフェニル)-N,N'-ジフェニルベンジジン）及びＴＣＴＡ（4，4'，4"−トリ（N− カルバゾリル）トリフェニルアミン）などを含む。  
なお、第１機能層は、正孔注入層として機能する層と、正孔輸送層として機能する層と、が積層されたものであってもよい。この場合、正孔注入層として機能する層は、正孔の注入特性を向上させるためのものである。また、正孔注入層として機能する層は、正孔輸送層として機能する層と第２電極３２、または正孔輸送層として機能する層と第３電極３３との間に設けられる。
【００６７】
図示しない第２機能層は、第１有機層２１と第１電極３１との間、または、第３有機層２３と第１電極３１との間に設けられる。第２機能層の厚さは、例えば、１ナノメートル（ｎｍ）以上、５００ナノメートル（ｎｍ）以下である。
【００６８】
第２機能層は、例えば、電子輸送層として機能する。第２機能層は、例えば、Ａｌｑ３（トリス（8キノリノラト）アルミニウム（III））、ＢＡｌｑ(ビス(2-メチル-8-キノリラト-N1,O8)-(1,1'-ビフェニル-4-オラト)アルニウム)、Ｂｐｈｅｎ（バソフェナントロリン）及び３ＴＰＹＭＢ（トリス[３−(３−ピリジル)−メシチル]ボラン）などを含む。  
第２機能層は、例えば、電子注入層として機能する。その場合、第２機能層は、例えば、フッ化リチウム、フッ化セシウム、リチウムキノリン錯体などを含む。
【００６９】
なお、第２機能層は、電子輸送層として機能する層と、電子注入層として機能する層と、が積層されたものであってもよい。この場合、電子注入層として機能する層は、電子の注入特性を向上させるためのものである。また、電子注入層として機能する層は、電子輸送層として機能する層と第１電極３１との間に設けられる。
【００７０】
図５（ａ）及び図５（ｂ）は、第１の実施形態に係る発光装置の別の特性の一例を表すグラフ図である。  
図５（ａ）に表したように、この例では、第１色Ｃ１の色度座標が、領域Ｒｂに含まれ、第２色Ｃ２の色度座標が、領域Ｒｇに含まれ、第３色Ｃ３の色度座標が、領域Ｒｒに含まれる。すなわち、この例では、第１色Ｃ１が実質的に青色であり、第２色Ｃ２が実質的に緑色であり、第３色Ｃ３が実質的に赤色である。
【００７１】
このように、第１色Ｃ１を青色、第２色Ｃ２を緑色、第３色Ｃ３を赤色とした場合にも、上記と同様に、蛍光材料部２１ａの三重項エネルギーを、第１燐光材料部２２ａの三重項エネルギーよりも高くすることができる。例えば、領域Ｒ２を領域Ｒ１に含めることができる。従って、高い発光効率と、多様な色の表示と、を実現することができる。
【００７２】
図５（ｂ）に表したように、第１色Ｃ１は、例えば、青色と緑色との中間の色としてもよい。第２色Ｃ２は、例えば、緑色と赤色との中間の色としてもよい。第３色Ｃ３は、例えば、赤色と青色との中間の色としてもよい。この場合にも、上記と同様に、蛍光材料部２１ａの三重項エネルギーを、第１燐光材料部２２ａの三重項エネルギーよりも高くすることができる。例えば、領域Ｒ２を領域Ｒ１に含めることができる。
【００７３】
このように、第１色Ｃ１、第２色Ｃ２及び第３色Ｃ３のそれぞれは、必ずしも領域Ｒｒ、領域Ｒｇ及び領域Ｒｂに含まれていなくてもよい。第１色Ｃ１、第２色Ｃ２及び第３色Ｃ３のそれぞれは、例えば、蛍光材料部２１ａの三重項エネルギーを、第１燐光材料部２２ａの三重項エネルギーよりも高くでき、かつ、領域Ｒ２を領域Ｒ１に含めることができる任意の色（波長）でよい。
【００７４】
図６（ａ）〜図６（ｃ）は、第１の実施形態に係る別の発光装置を模式的に表す断面図である。  
図６（ａ）に表したように、発光装置１１１では、第１電極３１が光透過性であり、第２電極３２及び第３電極３３が光反射性である。発光装置１１１では、第１電極３１の光反射率が、例えば、第２電極３２の光反射率、及び、第３電極３３の光反射率のそれぞれよりも低い。第１電極３１は、例えば、透明である。
【００７５】
発光装置１１１では、第１発光部１１から放出された光が、第１電極３１を透過して外部に出射する。そして、第２発光部１２から放出された光も、第１電極３１を透過して外部に出射する。すなわち、発光装置１１１は、いわゆるトップエミッション型である。このように、本実施形態に係る発光装置は、ボトムエミッション型でもよいし、トップエミッション型でもよい。
【００７６】
図６（ｂ）に表したように、発光装置１１２では、第１電極３１と基板４０との間に第１発光部１１が設けられる。第１発光部１１と基板４０との間に第２電極３２が設けられる。第２電極３２と基板４０との間に第２発光部１２が設けられる。第２発光部１２と基板４０との間に第３電極３３が設けられる。
【００７７】
発光装置１１２は、第４電極３４と、基板４１、４２と、をさらに含む。第４電極３４は、第２電極３２と第２発光部１２との間に設けられる。基板４１は、第２電極３２と第４電極３４との間に設けられる。基板４２は、基板４１と第４電極３４との間に設けられる。
【００７８】
換言すれば、発光装置１１２では、基板４０の上に、第３電極３３、第２発光部１２、第４電極３４、基板４２、基板４１、第２電極３２、第１発光部１１、及び、第１電極３１が、この順に積層される。
【００７９】
発光装置１１２では、第１発光部１１が、第１電極３１と第２電極３２との間に設けられる。そして、第２発光部１２が、第３電極３３と第４電極３４との間に設けられる。第１電極３１と第２電極３２との間に電圧を印加する。これにより、第１発光部１１から光が放出される。第３電極３３と第４電極３４との間に電圧を印加する。これにより、第２発光部１２から光が放出される。
【００８０】
この例では、例えば、第１電極３１が光反射性である。第２電極３２〜第４電極３４、及び、基板４０〜４２のそれぞれが、光透過性である。これにより、第１発光部１１及び第２発光部１２のそれぞれから放出された光が、基板４０から外部に出射する。すなわち、ボトムエミッション型となる。
【００８１】
例えば、第３電極３３を光反射性とし、第１電極３１、第２電極３２、第４電極３４、基板４１、４２のそれぞれを光透過性としてもよい。この場合には、第１発光部１１及び第２発光部１２のそれぞれから放出された光が、第１電極３１から外部に出射する。すなわち、トップエミッション型となる。
【００８２】
このように、発光装置１１２では、第２発光部１２が、Ｚ軸方向において第１発光部１１と並ぶ。第２発光部１２は、発光装置１１０などで表しているように、第１有機層２１と第２有機層２２との並ぶ方向に対して垂直な方向に並べてもよいし、発光装置１１２で表しているように、第１有機層２１と第２有機層２２との並ぶ方向に並べてもよい。
【００８３】
図６（ｃ）に表したように、発光装置１１３では、第１電極３１と基板４０との間に第１発光部１１が設けられる。第１発光部１１と基板４０との間に第２電極３２が設けられる。第２電極３２と基板４０との間に第２発光部１２が設けられる。第２発光部１２と基板４０との間に第３電極３３が設けられる。
【００８４】
発光装置１１３では、第１電極３１と第２電極３２との間に第１発光部１１が設けられる。第２電極３２と第３電極３３との間に第２発光部１２が設けられる。発光装置１１３では、第１電極３１と第２電極３２との間に電圧を印加することで、第１発光部１１から光が放出される。そして、第２電極３２と第３電極３３との間に電圧を印加することで、第２発光部１２から光が放出される。すなわち、発光装置１１３では、第２電極３２が、第１発光部１１と第２発光部１２とのそれぞれに共通に用いられる。
【００８５】
このように、第１発光部１１と第２発光部１２とをＺ軸方向に並べる場合には、１つの電極を第１発光部１１と第２発光部１２とに共用させてもよい。
【００８６】
（第２の実施形態）  
発光装置は、第１発光部及び第２発光部を含む第１発光領域と、第１発光領域と並べて設けられた第２発光領域とを備えていても良い。第１発光領域と第２発光領域は、第１方向と交差する第１面において並べて設けられている。例えば、第１方向は、第１面と直交する。  
第２発光領域は、第３の発光スペクトルを有する第３光を放出する第４有機層を含む。例えば、第４有機層は、第３有機層を形成する材料を含む。例えば、第４有機層は、第３有機層を形成する材料からなる。  
第３発光層および第４発光層は、例えば、第１燐光材料と異なる第２燐光材料を含む。
【００８７】
図７は、第２の実施形態に係る発光装置の一例として、表示灯を模式的に表す平面図である。  
図７に表したように、表示灯２１０は、第１素子部７１（第１発光領域）と、第２素子部７２（第２発光領域）と、を含む。第２素子部７２は、Ｚ軸方向に対して垂直な方向において第１素子部７１と並べて設けられる。表示灯２１０は、例えば、１つの第１素子部７１と、複数の第２素子部７２と、を含む。第１素子部７１の数及び第２素子部７２の数は、任意である。第１素子部７１及び第２素子部７２のそれぞれは、１つでもよいし、複数でもよい。なお、表示灯２１０において、上記第１の実施形態で説明した各発光装置と機能・構成上実質的に同じものについては、同符号を付し、詳細な説明を省略する。
【００８８】
第１素子部７１及び第２素子部７２は、例えば、有機層を含む発光装置である。表示灯２１０は、第１素子部７１から放出される光と、第２素子部７２から放出される光と、によって、所定の図柄を表示する。図柄とは、例えば、シンボルマーク（ピストグラム）や文字などである。
【００８９】
この例では、表示灯２１０として、誘導灯を示している。表示灯２１０は、誘導灯に限らない。表示灯２１０は、例えば、医療表示灯や放送表示灯などでもよい。医療表示灯とは、例えば、手術中やＸ線撮影中などを表示灯などである。放送表示灯とは、例えば、放送中を表す表示灯（いわゆるオンエアーランプ）などである。表示灯２１０は、光を放出して所定の図柄を表示する任意の装置でよい。
【００９０】
図８は、第２の実施形態に係る表示灯の一部を模式的に表す部分断面図である。  
図８に表したように、第１素子部７１は、第１発光部１１と第２発光部１２とを含む。第１素子部７１は、例えば、複数の第１発光部１１と複数の第２発光部１２とを含む。この例では、第２発光部１２が、Ｘ軸方向において第１発光部１１と並ぶ。すなわち、表示灯２１０において、第１素子部７１は、上記第１実施形態の表示装置１１０と実質的に同じである。第１素子部７１及び第２素子部７２のそれぞれは、例えば、Ｙ軸方向に延びるライン状である。第１発光部１１及び第２発光部１２は、第１素子部７１の図柄に応じた形状に形成される。
【００９１】
第２素子部７２は、第４有機層２４を含む。第４有機層２４は、有機発光層を含む。第４有機層２４は、第４の発光スペクトルを有する第４光Ｌ４を放出する。第４光Ｌ４の第４色（第４の発光スペクトル）は、第１素子部７１から放出される第１光Ｌ１〜第３光Ｌ３の第１色と第２色と第３色との混色と異なる。第４有機層２４は、例えば、第２素子部７２の図柄に応じた形状に形成される。
【００９２】
例えば、第１色Ｃ１を青色とし、第２色Ｃ２を赤色とし、第３色Ｃ３を緑色とした場合、第１色と第２色と第３色との混色は、実質的に白色である。この場合、第４色は、白色と異なる色である。この例において、第４色は、例えば、緑色である。第４色は、例えば、第３色と実質的に同じである。この例において、第４有機層２４は、例えば、第３有機層２３と実質的に同じである。第４有機層２４は、例えば、第２燐光材料を含む。
【００９３】
表示灯２１０は、第１素子部７１と第２素子部７２とによって、第１色〜第３色の混色と第４色とに色分けされた図柄を表示する。例えば、表示灯２１０は、白色と緑色とに色分けされた避難誘導用の図柄（ピストグラム）を表示する。
【００９４】
例えば、図５（ａ）で表したように、第１色Ｃ１を青色とし、第２色Ｃ２を緑色とし、第３色Ｃ３を赤色とするとともに、第４色Ｃ４を赤色とすることにより、白色と赤色とに色分けされた図柄を表示してもよい。これにより、例えば、医療表示灯などに好適に用いることができる。第４有機層２４の第４色は、例えば、第１色と同じでもよいし、第２色と同じでもよい。第４色は、第１色〜第３色のそれぞれと異なっていてもよい。但し、上記のように、第４有機層２４を第３有機層２３と実質的に同じにする。これにより、例えば、第３有機層２３と第４有機層２４とを同時に形成することができる。例えば、表示灯２１０の製造工程を簡略化することができる。
【００９５】
表示灯２１０は、例えば、第１電極３１〜第４電極３４と、基板４０と、絶縁層５０と、をさらに含む。表示灯２１０において、第１素子部７１の構成は、上記第１の実施形態の発光装置１１０と実質的に同じであるから、詳細な説明は省略する。
【００９６】
表示灯２１０では、第１電極３１が、第４有機層２４とさらに電気的に接続されている。第４電極３４は、第４有機層２４と電気的に接続される。この例では、第１電極３１と第４電極３４との間に、第４有機層２４が設けられる。これにより、第１電極３１と第４電極３４との間に電圧を印加することで、第４有機層２４から光が放出される。
【００９７】
基板４０は、Ｚ軸方向において第１素子部７１及び第２素子部７２のそれぞれと並ぶ。基板４０は、Ｚ軸方向において第１電極３１と対向する。この例では、基板４０と第１電極３１との間に第２電極３２が設けられる。第２電極３２と第１電極３１との間に第１発光部１１が設けられる。基板４０と第１電極３１との間に第３電極３３が設けられる。第３電極３３と第１電極３１との間に第２発光部１２が設けられる。基板４０と第１電極３１との間に第４電極３４が設けられる。第４電極３４と第１電極３１との間に第４有機層２４が設けられる。
【００９８】
表示灯２１０は、例えば、発光装置１１０と同様に、ボトムエミッション型である。第４電極３４は、例えば、光透過性である。第４有機層２４から放出された第４光Ｌ４は、例えば、第４電極３４及び基板４０を透過して外部に出射される。
【００９９】
絶縁層５０は、例えば、第１素子部７１と第２素子部７２との間にさらに設けられる。絶縁層５０は、例えば、第１素子部７１と第２素子部７２との間において、第１電極３１と基板４０との間に空く隙間を埋める。
【０１００】
表示灯２１０においては、第１素子部７１に第１発光部１１と第２発光部１２とを設けている。これにより、上記第１の実施形態の各発光装置と同様に、高い発光効率と、多様な色の表示と、を実現することができる。例えば、色温度の高い白色を実現することができる。
【０１０１】
図９は、第２の実施形態に係る別の表示灯の一部を模式的に表す部分断面図である。  
図９に表したように、表示灯２１１では、第１電極３１が光透過性であり、第２電極３２、第３電極３３及び第４電極３４が光反射性である。
【０１０２】
表示灯２１１では、第１発光部１１から放出された光が、第１電極３１を透過して外部に出射する。第２発光部１２から放出された光が、第１電極３１を透過して外部に出射する。第４有機層２４から放出された光が、第１電極３１を透過して外部に出射する。すなわち、表示灯２１１は、いわゆるトップエミッション型である。このように、本実施形態に係る表示灯は、ボトムエミッション型でもよいし、トップエミッション型でもよい。
【０１０３】
図１０は、第２の実施形態に係る別の表示灯の一部を模式的に表す部分断面図である。  図１０に表したように、表示灯２１２では、第２発光部１２が、Ｚ軸方向において第１発光部１１と並ぶ。すなわち、表示灯２１２において、第１素子部７１は、発光装置１１２と実質的に同じである。従って、第１素子部７１についての詳細な説明は、省略する。
【０１０４】
表示灯２１２の第２素子部７２では、第１電極３１と基板４０との間に、絶縁層５２が設けられる。絶縁層５２と基板４０との間に、基板４１が設けられる。基板４１と基板４０との間に、基板４２が設けられる。基板４２と基板４０との間に、第４電極３４が設けられる。第４電極３４と基板４０との間に、第４有機層２４が設けられる。第４有機層２４と基板４０との間に、第３電極３３が設けられる。
【０１０５】
表示灯２１２では、第４有機層２４が、第３有機層２３と連続している。この例において、第４有機層２４の材料は、第３有機層２３の材料と実質的に同じである。すなわち、この例では、第３有機層２３と第４有機層２４とが、連続した１つの層である。
【０１０６】
絶縁層５２は、例えば、第１電極３１と基板４１との間に空く隙間を埋める。絶縁層５２は、例えば、第２素子部７２において、第１素子部７１の第１発光部１１の分の隙間を埋める。絶縁層５２は、例えば、光透過性を有する。
【０１０７】
この例では、例えば、第１電極３１が光反射性である。第２電極３２〜第４電極３４、及び、基板４０〜４２のそれぞれが、光透過性である。これにより、第１発光部１１、第２発光部１２及び第４有機層２４のそれぞれから放出された光が、基板４０から外部に出射する。すなわち、ボトムエミッション型となる。
【０１０８】
例えば、第３電極３３を光反射性とし、第１電極３１、第２電極３２、第４電極３４、基板４１、４２、絶縁層５２のそれぞれを光透過性としてもよい。この場合には、第１発光部１１、第２発光部１２及び第４有機層２４のそれぞれから放出された光が、第１電極３１から外部に出射する。すなわち、トップエミッション型となる。
【０１０９】
このような発光装置によると、発光色を変化させる部分を第１素子部とし、発光色を変化させない部分は第２素子部とすることができ、発光色を切り替え可能な発光装置を得ることができる。  
表示灯２１２においても、上記各実施形態と同様に、高い発光効率と、多様な色の表示と、を実現することができる。例えば、色温度の高い白色を実現することができる。
【０１１０】
（第３の実施形態）  
図１１（ａ）〜図１１（ｃ）は、第３の実施形態に係る表示灯を表す模式図である。  
図１１（ａ）は、表示灯３１０を模式的に表す平面図である。図１１（ｂ）（ｃ）は表示灯３１０に表示される図柄の一例を表す模式図である。  
図１１（ａ）に表したように、表示灯３１０は、表示部３１２と、制御部３１４と、を含む。
【０１１１】
表示部３１２は、複数のセグメント３２１〜３２４を含む。各セグメント３２１〜３２４は、異なる複数の色の光を放出する。この例では、各セグメント３２１〜３２４のそれぞれが、白色光と緑色光とを放出する。各セグメント３２１〜３２４の放出する色は、これらに限ることなく、任意の色でよい。また、各セグメント３２１〜３２４の放出する色は、２色以上でもよい。なお、表示部３１２は、例えば、１つの色の光のみを放出するセグメントを含んでもよい。
【０１１２】
各セグメント３２１〜３２４は、平面内で分離した複数の領域部からなっており、同じセグメントに属する領域部は同期して放射する光の色が変化する。例えば、セグメント３２１は、領域部３２１ａ〜３２１ｃを含む。セグメント３２２は、領域部３２２ａ〜３２２ｉを含む。セグメント３２３は、領域部３２３ａ〜３２３ｉを含む。セグメント３２４は、領域部３２４ａ〜３２４ｃを含む。
【０１１３】
制御部３１４は、各セグメント３２１〜３２４から放出される光の色を選択する。これにより、制御部３１４は、異なる複数の図柄を選択的に表示部３１２に表示する。この例では、制御部３１４が、図１１（ｂ）に表す図柄ＳＧ１と、図１１（ｃ）に表す図柄ＳＧ２と、を選択的に切り替える。なお、切り替える図柄のパターンは、例えば、２種類以上でもよい。
【０１１４】
図１２は、セグメントの一例を模式的に表す断面図である。  
図１２に表したように、各セグメント３２１〜３２４は、第１素子部７１と、第２素子部７２と、を含む。各セグメント３２１〜３２４は、例えば、複数の第１素子部７１と、複数の第２素子部７２と、を含む。各第１素子部７１及び各第２素子部７２は、例えば、Ｙ軸方向に延びるライン状である。各第１素子部７１及び各第２素子部７２は、例えば、Ｘ軸方向に交互に並ぶ。また、各第１素子部７１及び各第２素子部７２のそれぞれは、各セグメント３２１〜３２４に対応した形状に形成される。
【０１１５】
この例において、第１発光部１１、第２発光部１２及び第４有機層２４などは、表示灯２１１に関して説明したものと実質的に同じであるから、これらについての詳細な説明は省略する。なお、各セグメント３２１〜３２４において、第１素子部７１及び第２素子部７２は、ボトムエミッション型でもよいし、トップエミッション型でもよい。
【０１１６】
各セグメント３２１〜３２４は、例えば、絶縁層５４と、配線８１、８２と、をさらに含む。配線８１は、例えば、各第２電極３２と基板４０との間、及び、各第３電極３３と基板４０との間に設けられる。配線８１は、例えば、Ｚ軸方向において、各第２電極３２及び各第３電極３３のそれぞれと対向する。
【０１１７】
配線８２は、例えば、第４電極３４と基板４０との間に設けられる。絶縁層５４は、例えば、各第２電極３２と配線８１との間、各第３電極３３と配線８１との間、及び、第４電極３４と配線８２との間に設けられる。
【０１１８】
配線８１は、例えば、ビアなどを介して各第２電極３２及び各第３電極３３のそれぞれと電気的に接続されている。配線８２は、例えば、ビアなどを介して第４電極３４と電気的に接続されている。また、配線８１と配線８２とは、例えば、絶縁層５４などで互いに電気的に絶縁されている。さらに、配線８１と配線８２とは、例えば、セグメント３２１〜３２４間においても、互いに絶縁されている。例えば、セグメント３２１の配線８１は、セグメント３２２の配線８１と電気的に絶縁されている。これにより、表示灯３１０では、各配線８１、８２のそれぞれに対して個別に電圧を印加することができる。
【０１１９】
制御部３１４は、例えば、第１電極３１及び配線８１、８２のそれぞれと電気的に接続されている。
【０１２０】
制御部３１４は、例えば、第１電極３１と配線８１との間に電圧を印加する。これにより、各第１発光部１１及び各第２発光部１２のそれぞれから光が放出される。例えば、各第１発光部１１及び各第２発光部１２のそれぞれから実質的に白色の光が放出される。すなわち、セグメント３２１〜３２４から実質的に白色の光が放出される。
【０１２１】
また、制御部３１４は、例えば、第１電極３１と配線８２との間に電圧を印加する。これにより、第４有機層２４から光が放出される。例えば、第４有機層２４から実質的に緑色の光が放出される。すなわち、セグメント３２１〜３２４から実質的に緑色の光が放出される。
【０１２２】
このように、制御部３１４は、各セグメント３２１〜３２４のそれぞれにおいて、複数の第１素子部７１及び複数の第２素子部７２のそれぞれと電気的に接続される。そして、複数の第１素子部７１及び複数の第２素子部７２のそれぞれの点灯及び消灯を制御する。すなわち、第１電極３１と配線８１との間に電圧を印加するか、第１電極３１と配線８２との間に電圧を印加するか、を制御する。
【０１２３】
これにより、各セグメント３２１〜３２４から放出される光の色を選択的に切り替えることができる。すなわち、制御部３１４は、異なる複数の図柄を選択的に表示する。例えば、表示灯３１０において、図柄ＳＧ１の表示と、図柄ＳＧ２の表示と、を選択的に切り替えることができる。制御部３１４は、例えば、外部から入力される制御信号や選択スイッチの設定などに応じて、各セグメント３２１〜３２４から放出される光の色を切り替える。
【０１２４】
表示灯３１０においても、第１素子部７１に第１発光部１１と第２発光部１２とを設けている。これにより、上記第１の実施形態の各発光装置と同様に、高い発光効率と、多様な色の表示と、を実現することができる。例えば、色温度の高い白色を実現することができる。
【０１２５】
図１３は、セグメントの別の一例を模式的に表す断面図である。  
図１３に表したように、この例において、第１発光部１１、第２発光部１２及び第４有機層２４などは、表示灯２１２に関して説明したものと実質的に同じであるから、これらについての詳細な説明は省略する。なお、この例の各セグメント３２１〜３２４において、第１素子部７１及び第２素子部７２は、ボトムエミッション型でもよいし、トップエミッション型でもよい。
【０１２６】
各セグメント３２１〜３２４は、例えば、絶縁層５４と、配線８１、８２と、をさらに含む。この例において、配線８１は、第２電極３２と基板４１との間に設けられる。絶縁層５４は、第２電極３２と配線８１との間に設けられる。
【０１２７】
配線８１は、例えば、ビアなどを介して第２電極３２と電気的に接続されている。各セグメント３２１〜３２４のそれぞれの配線８１は、互いに電気的に絶縁されている。これにより、各セグメント３２１〜３２４のそれぞれの配線８１に個別に電圧を印加することができる。
【０１２８】
この例では、制御部３１４が、例えば、第１電極３１、第３電極３３、第４電極３４及び配線８１のそれぞれと電気的に接続されている。
【０１２９】
制御部３１４は、例えば、第１電極３１と配線８１との間に電圧を印加するとともに、第３電極３３と第４電極３４との間に電圧を印加する。これにより、セグメント３２１〜３２４から実質的に白色の光が放出される。
【０１３０】
また、制御部３１４は、例えば、第３電極３３と第４電極３４との間に電圧を印加する。これにより、セグメント３２１〜３２４から実質的に緑色の光が放出される。
【０１３１】
この例においても、第１素子部７１に第１発光部１１と第２発光部１２とを設けている。これにより、上記各実施形態と同様に、高い発光効率と、多様な色の表示と、を実現することができる。例えば、色温度の高い白色を実現することができる。
【０１３２】
（第４の実施形態）  
図１４は、第４の実施形態に係る表示システムを模式的に表すブロック図である。  
図１４に表したように、表示システム４１０は、複数の表示灯２１０と、制御部４１２と、を含む。制御部４１２は、複数の表示灯２１０のそれぞれと電気的に接続される。制御部４１２は、例えば、複数の表示灯２１０のそれぞれにおいて、第１電極３１〜第４電極３４のそれぞれと電気的に接続される。これにより、制御部４１２は、複数の表示灯２１０のそれぞれの点灯及び消灯を制御する。
【０１３３】
例えば、表示灯２１０を避難誘導用の誘導灯とする。この場合、表示システム４１０では、災害状況に応じて各表示灯２１０の点灯及び消灯を制御することにより、避難者をより適切に出口などに誘導することができる。例えば、火災発生時に、火元から遠い出口に避難者を誘導することができる。
【０１３４】
表示システム４１０では、例えば、各表示灯２１０のそれぞれにおいて、高い発光効率と、多様な色の表示と、を実現することができる。例えば、色温度の高い白色を実現することができる。
【０１３５】
この例では、表示システム４１０に表示灯２１０を用いている。表示システム４１０に用いられる表示灯は、表示灯２１０に限らない。例えば、表示灯２１１や表示灯２１２を表示システム４１０に用いてもよい。
【０１３６】
さらには、表示灯３１０を表示システム４１０に用いてもよい。例えば、制御部４１２からの制御信号に応じて、表示灯３１０の図柄を切り替える。この場合、制御部４１２は、例えば、表示灯３１０の制御部３１４と電気的に接続される。例えば、制御部４１２を主制御部とし、制御部３１４を副制御部とし、制御部４１２によって、複数の表示灯３１０のそれぞれの制御部３１４の動作を制御する。これにより、例えば、表示灯３１０を誘導灯とした場合には、より適切に誘導を行うことができる。
【０１３７】
なお、制御部４１２と各表示灯との間の電気的な接続は、有線でもよいし、無線でもよい。例えば、制御部４１２と制御部３１４との電気的な接続は、有線でもよいし、無線でもよい。このように、制御部４１２から電波などを介して無線で各表示灯に制御信号を送信し、制御信号に応じて各表示灯の点灯及び消灯を切り替えてもよい。
【０１３８】
実施形態によれば、発光効率が高く、かつ、多様な色の表示が可能な発光装置、表示灯及び表示システムが提供される。
【０１３９】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。本願明細書において、「上に設けられる」状態は、直接接して設けられる状態の他に、間に他の要素が挿入されて設けられる状態も含む。「積層される」状態は、互いに接して重ねられる状態の他に、間に他の要素が挿入されて重ねられる状態も含む。「対向する」状態は、直接的に面する状態の他に、間に他の要素が挿入されて面する状態も含む。本願明細書において、「電気的に接続」には、直接接触して接続される場合の他に、他の導電性部材などを介して接続される場合も含む。
【０１４０】
以上、具体例を参照しつつ、本発明の実施の形態について説明した。しかし、本発明の実施形態は、これらの具体例に限定されるものではない。例えば、発光装置、表示灯及び表示システムに含まれる、第１発光部、第２発光部、第１有機層、第２有機層、第３有機層、第１素子部、第２素子部、及び、制御部などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【０１４１】
その他、本発明の実施の形態として上述した有機電界発光素子、照明装置及び照明システムを基にして、当業者が適宜設計変更して実施し得る全ての有機電界発光素子、照明装置及び照明システムも、本発明の要旨を包含する限り、本発明の範囲に属する。
【０１４２】
その他、本発明の思想の範疇において、当業者であれば、各種の変更例及び修正例に想到し得るものであり、それら変更例及び修正例についても本発明の範囲に属するものと了解される。
【０１４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2015079524.tif 000003
【図２】
2015079524.tif 000004
【図３】
2015079524.tif 000005
【図４】
2015079524.tif 000006
【図５】
2015079524.tif 000007
【図６】
2015079524.tif 000008
【図７】
2015079524.tif 000009
【図８】
2015079524.tif 000010
【図９】
2015079524.tif 000011
【図１０】
2015079524.tif 000012
【図１１】
2015079524.tif 000013
【図１２】
2015079524.tif 000014
【図１３】
2015079524.tif 000015
【図１４】
2015079524.tif 000016
【国際調査報告】
2015079524.tif 000017
2015079524.tif 000018
2015079524.tif 000019
2015079524.tif 000020